(57)【要約】      （修正有）【課題】ケース本体を外ケース内で前後方向にスライドして所望する数量の錠剤を選択してケース内から出せるようにする。【解決手段】錠剤Ｐを収納するケース本体Ａと、ケース本体Ａを前後方向にスライド自在に収納する外ケースＢとからなる錠剤ケースであって、ケース本体Ａは、錠剤Ｐを収納する収納部Ａ１と、収納部Ａ１の前側に設けられ、錠剤Ｐを一個収納する単数計量部Ａ２と、収納部の後側に設けられ、錠剤を複数収納する複数計量部Ａ３とを具え、収納部Ａ１の前壁には、一個の錠剤Ｐが単数計量部Ａ２に通じる開口が形成され、収納部Ａ１の後壁の中央には、任意の数個分の錠剤が複数計量部Ａ３に通じる開口が形成され、外ケースＢは、上板２０と、下板２１と、ケース本体の前後方向のスライドを規制する左外壁２２と、右外壁２３と、ケース本体Ａの単数計量部Ａ２に係合する位置までの前外壁２４とからなる。【選択図】図１
2008247436.tif 000002
【特許請求の範囲】
【請求項１】
錠剤を収納するケース本体と、ケース本体を前後方向にスライド自在に収納する外ケースとからなる錠剤ケースであって、
ケース本体は、錠剤を収納する収納部と、収納部の前側に設けられ、錠剤を一個収納する単数計量部と、収納部の後側に設けられ、錠剤を複数収納する複数計量部とを具え、
収納部の前壁には、一個の錠剤が単数計量部に通じる開口が形成され、
収納部の後壁の中央には、任意の数個分の錠剤が複数計量部に通じる開口が形成され、
外ケースは、上板と、下板と、ケース本体の前後方向のスライドを規制する左外壁と、右外壁と、ケース本体の単数計量部に係合する位置までの前外壁とからなっており、
外ケース内でケース本体を前後方向にスライドし、単数計量部、または複数計量部をケース本体に対して突出させ、錠剤を出すことを特徴とする錠剤ケース。
【請求項２】
ケース本体の収納部の底壁は、単数計量部側の下段底壁と、下段底壁の端縁から傾斜底壁を介して複数計量部側に形成され、室内の錠剤同士の重なりを解消する上段底壁とを具えていることを特徴とする請求項１記載の錠剤ケース。
【請求項３】
外ケースの上板の後側中央には、両側を切込みにより切込まれて形成された操作板部がヒンジを介して配設され、
操作板部の下面には、外面がケース本体の複数計量部の後側壁内面に係合する錠剤押え突部が垂設されていることを特徴とする請求項１記載の錠剤ケース。
【請求項４】
ケース本体の左外壁の外面の所定の位置に、前凹部と中凹部と後凹部を配設し、
外ケースの左外壁の内面の所定の位置に、係合突部を突設し、
ケース本体のスライド時に、係合突部が前凹部、または中凹部、または後凹部の何れかに係合することを特徴とする請求項１記載の錠剤ケース。
【発明の詳細な説明】
【技術分野】
【０００１】
本発明は、粒状の内容物を収納する錠剤ケース、特に、ケース本体を外ケース内に収納し、ケース本体を前後方向にスライドして、錠剤をケース本体の開口より設定した数量を出せるようにした錠剤ケースに関するものである。
【背景技術】
【０００２】
カプセルや、薬品などの錠剤、または粒状のガム、キャンディなどの菓子類などを複数個収納した錠剤ケースにおいて、スライド部材をスライドさせ、ケース内から錠剤を所定個数出すようにした小型、かつ薄型の錠剤ケースは、従来より知られている（例えば、特許文献１参照）。
【特許文献１】特開平１１−１６５７７５号
【発明の開示】
【発明が解決しようとする課題】
【０００３】
しかしながら、上記特許文献１記載の錠剤ケースは、スライド部材を所定のスライド位置で止めて所望する個数の錠剤を出すようにしているため、一個だけ所望する際に、スライド部材をスライドしすぎて必要以上に錠剤を出してしまい、所望する数の錠剤のみを出すことが難しいという問題があった。
また、一個だけ所望した後、所定の複数個必要であった場合、一度スライド部材を戻し、スライド部材に規定数補充した後、再びスライドしなくてはならず、手間がかかるという問題があった。
【０００４】
本発明は、上記の問題点を解決することを課題として、ケース本体を外ケース内で前後方向にスライドして所望する数量の錠剤を選択してケース内から出せるようにした、小型、かつ薄型の錠剤ケースを提供することを目的とする。
【課題を解決するための手段】
【０００５】
本発明は、上記の課題を解決するため、錠剤ケースとして、錠剤を収納するケース本体と、ケース本体を前後方向にスライド自在に収納する外ケースとからなる錠剤ケースであって、ケース本体は、錠剤を収納する収納部と、収納部の前側に設けられ、錠剤を一個収納する単数計量部と、収納部の後側に設けられ、錠剤を複数収納する複数計量部とを具え、収納部の前壁には、一個の錠剤が単数計量部に通じる開口が形成され、収納部の後壁の中央には、任意の数個分の錠剤が複数計量部に通じる開口が形成され、外ケースは、上板と、下板と、ケース本体の前後方向のスライドを規制する左外壁と、右外壁と、ケース本体の単数計量部に係合する位置までの前外壁とからなっており、外ケース内でケース本体を前後方向にスライドし、単数計量部、または複数計量部をケース本体に対して突出させ、錠剤を出すことを特徴とする構成を採用する。
【０００６】
ケース本体の実施例として、ケース本体の収納部の底壁は、単数計量部側の下段底壁と、下段底壁の端縁から傾斜底壁を介して複数計量部側に形成され、室内の錠剤同士の重なりを解消する上段底壁とを具えていることを特徴とする構成を採用する。
【０００７】
外ケースの実施例として、外ケースの上板の後側中央には、両側を切込みにより切込まれて形成された操作板部がヒンジを介して配設され、操作板部の下面には、外面がケース本体の複数計量部の後側壁内面に係合する錠剤押え突部が垂設されていることを特徴とする構成を採用する。
【０００８】
ケース本体と外ケースを係合させるための実施例として、ケース本体の左外壁の外面の所定の位置に、前凹部と中凹部と後凹部を配設し、外ケースの左外壁の内面の所定の位置に、係合突部を突設し、ケース本体のスライド時に、係合突部が前凹部、または中凹部、または後凹部の何れかに係合することを特徴とする構成を採用する。
【発明の効果】
【０００９】
本発明の錠剤ケースは、錠剤を収納するケース本体と、ケース本体を前後方向にスライド自在に収納する外ケースとからなり、ケース本体内に収納部と、収納部の前側に設けられた単数計量部と、収納部の後側に設けた複数計量部を設けているので、ケース本体を外ケース内で前後どちらかにスライドさせることによって、単数計量部、または複数計量部から設定した数量の錠剤を出すことができる。
【発明を実施するための最良の形態】
【００１０】
次に、本発明の錠剤ケースの実施形態について、図面を参照して説明する。
図１において、Ａはケース本体、Ｂはケ−ス本体Ａを前後方向にスライド自在に収納する外ケース、Ｐはケース内に収納される錠剤である。
【００１１】
ケース本体Ａは、図１、２に示すように、周壁ａと底壁ｂとを具え、錠剤Ｐを収納する収納部Ａ１と、収納部Ａ１の左前側に突出する一個の錠剤Ｐを外に出す単数計量部Ａ２と、収納部Ａ１の後側に設けられる三個の錠剤Ｐを外に出す複数計量部Ａ３とから形成されている。
【００１２】
周壁ａの左壁１は、前左壁部１ａと、前左壁部１ａの後端に前段部１ｂを介して縮径して形成される中左壁部１ｃと、中左壁部１ｃの後端に後段部１ｄを介して拡径して形成される後左壁部１ｅとからなっている。
周壁ａの右壁２は、前右壁部２ａと、前右壁部２ａの後端に前段部２ｂを介して拡径して形成される中右壁部２ｃと、中右壁部２ｃの後端に後段部２ｄを介して拡径して形成される後右壁部２ｅとからなっている。
【００１３】
収納部Ａ１は、左壁１の中左壁部１ｃと、右壁２の前右壁部２ａと前段部２ｂと中右壁部２ｃと、前壁３と、後中壁４と、底壁ｂとから形成されている。
底壁ｂは、単数計量部Ａ２側の下段底壁５と、下段底壁５の端縁から傾斜底壁６を介して形成される複数計量部Ａ３側の上段底壁７とからなっている。
上段底壁７の高さは、ケース本体Ａを外ケースＢ内に装着した際に、外ケースＢの上板と係合して収納室Ａ１ａ内の錠剤Ｐ同士が重ならない高さに形成されている。
【００１４】
前壁３の左壁１側には、ほぼ錠剤Ｐの一個半分の幅に上方から下段底壁５上面まで切込まれた開口８が形成され、後中壁４の中央には、ほぼ錠剤Ｐの三個分の幅に上方から上段底壁７上面まで切込まれた大きな開口９が形成されている。
左壁１の中左壁部１ｃの内面前側には、収納部Ａ１内から開口８に錠剤Ｐを案内する案内壁部１０が形成され、外面前側には、外ケースＢ内でケース本体Ａのスライド位置を位置決めする前凹部１１と中凹部１２と後凹部１３とが配設されている。
【００１５】
単数計量部Ａ２は、左壁１の前左壁部１ａと、突出前壁１４と、突出前壁１４の右側端に連設された突出右壁１５と、下段底壁５に連設された突出底壁５ａとからなり、収納部Ａ１の前壁３の開口８から出た錠剤Ｐを一個収納する収納室Ａ２ａが形成されている。
【００１６】
複数計量部Ａ３は、後中壁４と、左壁１の後左壁部１ｅと、右壁２の後右壁部２ｅと、後壁１６と、後中壁４の開口９の両側端部から後壁１６内面に連設する二つの仕切壁１７と、両方の仕切壁１７の上端外面からその他の周壁内面とを連設する上壁１８と、上段底壁７の端縁から一段下がって両方の仕切壁１７の下端内面および後壁１６内面に連設された段底壁１９とからなっている。
後壁１６の中央には、切欠け１６ａが設けられている。
複数計量部Ａ３の両方の仕切壁１７および後壁１６中央の内方で、収納部Ａ１の後中壁４の開口９から出た錠剤Ｐを三個収納する収納室Ａ３ａが形成されている。
【００１７】
外ケースＢは、図１、３に示すように、上板２０と、下板２１と、上板２０と下板２１とのそれぞれの端縁を連設する、前側と後側を所定の位置で切欠いた左外壁２２と、後側を所定の位置で切欠いた右外壁２３と、左外壁２２側を所定の位置で切欠いた前外壁２４とからなっている。
【００１８】
上板２０の後側中央には、両側を切込み２５により切込まれて形成された操作板部２６がヒンジ２７を介して配設されている。
操作板部２６の下面には、外ケースＢ内にケース本体Ａを収納した際に、外面がケース本体Ａの後壁１６内面の中央に位置するとともに、下端が複数計量部Ａ３の段底壁１９上に収納された錠剤Ｐの上面に当接しない高さで錠剤押え突部２８が垂設されている。
【００１９】
左外壁２２の内面は、ケース本体Ａの左壁１の中左壁部１ｃの外面が摺動するようになっており、内面の前側端には、中左壁部１ｃの前凹部１１、または中凹部１２、または後凹部１３と係合する係合突部２９が配設されている。
【００２０】
右外壁２３の内面は、ケース本体Ａの右壁１の中右壁部２ｃの外面が摺動するようになっており、内面の前側から所定の位置まで、内面にケース本体Ａの右壁１の前右壁部２ａ外面が摺動する案内リブ３０が配設されている。
【００２１】
前外壁２４は、ケース本体Ａの突出前壁１４と係合する位置で切欠かれ、内面の左側端には、外面がケース本体Ａの突出右壁１５外面と摺動する錠剤押えリブ３１が配設されている。
【００２２】
次に、本実施例の錠剤ケースの使用態様と作用効果について説明する。
本実施例の錠剤ケースの組立は、まず、外ケースＢの開口から、錠剤Ｐが収納されたケース本体Ａを装着して、錠剤Ｐを収納した錠剤ケースを得る。
【００２３】
本実施例の錠剤ケースは、図１に示すように、外ケースＢの前側、および後側からケース本体Ａがはみ出ない位置で閉蓋状態となる。
その際、ケース本体Ａの左壁１の中左壁部１ｃの外面の中凹部１２と、外ケースＢの左外壁２２内面の係合突部２９が係合し、外ケースＢ内で、ケース本体Ａが簡単にスライドすることが防止され、錠剤Ｐを取出さない場合には、その状態が維持されている。
【００２４】
錠剤を一個出す時には、外ケースＢを前側を下に傾け、ケース本体Ａの収納部Ａ１の収納室Ａ１ａ内の錠剤Ｐを、開口８から単数計量部Ａ２内の収納室Ａ２ａ内に補充する。
次に、ケース本体Ａの後壁１６外面を指などで押し込み、ケース本体Ａを前方にスライドさせ、ケース本体Ａの単数計量部Ａ２を外ケースＢの前方より突出させていく。
【００２５】
最後に、図４に示すように、ケース本体Ａの収納部Ａ１の前壁３外面と外ケースＡの前外壁２４、およびケース本体Ａの左壁１の後段部１ｄと外ケースＢの左外壁２２の後側端面、およびケース本体Ａの右壁２の前段部２ｂと外ケースＢの右外壁２３の案内リブ３０の後側端、およびケース本体Ａの右壁２の後段部２ｄと外ケースＢの右外壁２３の後側端面とが当接し、ケース本体Ａのスライドが止められる。
【００２６】
また、ケース本体Ａの左壁１の中左壁部１ｃの外面の後凹部１３と、外ケースＢの左外壁２２の内面の係合突部２９が係合し、外ケースＢ内でケース本体Ａが簡単にスライドすることを防止している。
【００２７】
単数計量部Ａ２を外ケースＢの前方より突出させる際に、外ケースＢの前外壁２４の錠剤押えリブ３１の先端が、ケース本体Ａの開口８付近に残った単数計量部Ａ２の収納室Ａ２ａ内に入り切らない錠剤Ｐを、収納部Ａ１の収納室Ａ１ａ内に押し戻し、ケース本体の左壁１の案内壁部１０とともに開口８付近の錠剤Ｐの出入りを封鎖する。
錠剤押えリブ３１が、案内壁部１０とともに開口８を封鎖することによって不要な錠剤Ｐが収納室Ａ２ａ内に入ること、または、収納室Ａ２ａ内から必要な錠剤Ｐが、収納部Ａ１内に戻ることを防止することができる。
【００２８】
単数計量部Ａ２の収納室Ａ２ａが外ケースＢの前方より突出され、収納室Ａ２ａ内の錠剤Ｐを外に出すことができる。
収納室Ａ２ａ内の錠剤Ｐを外に出した後、単数計量部Ａ２を外ケースＢ内に押し戻すと、錠剤ケースが元の閉蓋状態に戻る。  
【００２９】
錠剤を三個出す時には、外ケースＢの上板２０の操作板部２６が他の上壁２０と平行な状態で、外ケースＢを後側を下に傾け、ケース本体Ａの収納部Ａ１の収納室Ａ１ａ内の錠剤Ｐを、開口９から複数計量部Ａ３内の三個の収納室Ａ３ａ内に補充する。
【００３０】
次に、ケース本体Ａの左壁１の後段部１ｄ付近と、右壁２の後段部２ｄ付近に指などを掛けて後方に引張り、ケース本体Ａを後方にスライドさせ、ケース本体Ａの複数計量部Ａ３を外ケースＢの後方より突出させていく。
その際、操作板部２６の錠剤押え突部２８内面が、複数計量部Ａ３内の収納室Ａ３ａ内の段底壁１９上にある錠剤Ｐには当接しないが、収納室Ａ３ａ内に入り込もうとする不要な錠剤Ｐには当接し、スライドにより開口９から収納室Ａ１ａ内に押し戻すとともに、錠剤押え突部２８が開口９の蓋となり、不要な錠剤Ｐが外に出ること、または、収納室Ａ３ａ内から必要な錠剤Ｐが収納室Ａ１ａ内に戻ることを防止する。
【００３１】
最後は、図５に示すように、ケース本体Ａの左壁１の前段部１ｂと外ケースＢの左外壁２２の前側端面が当接し、ケース本体Ａのスライドが止められる。
また、ケース本体Ａの左壁１の中左壁部１ｃの外面の前凹部１１と外ケースＢの左外壁２２の内面の係合突部２９が係合し、外ケースＢ内でケース本体Ａが簡単にスライドしてしまうことを防止している。
【００３２】
複数計量部Ａ３の収納室Ａ３ａが、外ケースＢの後方より突出され、収納室Ａ３ａ内の錠剤Ｐを外に出すことができる。
収納室Ａ３ａ内の錠剤Ｐを外に出した後、複数計量部Ａ３を外ケースＢ内に押し戻すと、錠剤ケースが元の閉蓋状態に戻る。  
【００３３】
本実施例の錠剤ケースは、単数計量部Ａ２の一個の収納室Ａ２ａ、または複数計量部Ａ３の三個の収納室Ａ３ａを外ケースＢから突出させ、設定した数量ずつ出した後、閉蓋状態に戻すことによって、収納室Ａ２ａ、または収納室Ａ３ａに収納部Ａ１から錠剤Ｐを設定した数量ずつ導入し、使用することができる。
【００３４】
また、錠剤Ｐを計量せずに大量に出したい時には、複数計量部Ａ３の収納室Ａ３ａを外ケースＢから突出させた後、外ケースＢの上板２０の操作板部２６をヒンジ２７を介して立てることによって、開口９に対する錠剤押え突部２８の蓋が外れ、開口９が開口し、収納室Ａ１ａ内の錠剤Ｐを、開口９から収納室Ａ３ａを介して複数外に取出すことができる。
【００３５】
上記実施形態では、ケース本体Ａの前後の計量部で錠剤Ｐを一個または三個収納し、出すようにしたが、錠剤Ｐの大きさ、および計量部に通じる開口の幅、または計量の形状を変えることで、それぞれの計量部に収納される錠剤Ｐの個数を調整することもできる。
【産業上の利用可能性】
【００３６】
外ケース内に装着したケース本体を前後にスライドさせることによって、ケース本体の開口から設定した数量の錠剤を出すことができる錠剤ケースとして、医薬品、サプリメント、タブレット状の菓子類などのケースとして、幅広く利用することができる。
【図面の簡単な説明】
【００３７】
【図１】本発明の実施形態の錠剤ケースの説明図で、（ａ）は錠剤ケースの断面平面図、（ｂ）は錠剤ケースの図（ａ）のＡ−Ａ線における断面図である。
【図２】ケース本体の説明図で、（ａ）は上面図、（ｂ）は図（ａ）のＡ−Ａ線における断面図である。
【図３】外ケースの説明図で、（ａ）は上面図、（ｂ）は図（ａ）のＡ−Ａ線における断面図である。
【図４】錠剤ケースのケース本体を前方に突出させた時の説明図で、（ａ）は錠剤ケースの断面平面図、（ｂ）は錠剤ケースの図（ａ）のＡ−Ａ線における断面図である。
【図５】錠剤ケースのケース本体を後方に突出させた時の説明図で、（ａ）は錠剤ケースの断面平面図、（ｂ）は錠剤ケースの図（ａ）のＡ−Ａ線における断面図である。
【符号の説明】
【００３８】
Ａ            ケース本体
Ａ１          収納部
Ａ１ａ、Ａ２ａ、Ａ３ａ  収納室
Ａ２          単数計量部
Ａ３          複数計量部
１            左壁
１ａ          前左壁部
１ｂ、２ｂ    前段部
１ｃ          中左壁部
１ｄ、２ｄ    後段部
１ｅ          後左壁部
２            右壁
２ａ          前右壁部
２ｃ          中右壁部
２ｅ          後右壁部
３            前壁  
４            後中壁
５            下段底壁
５ａ          突出底壁
６            傾斜底壁
７            上段底壁
８、９        開口
１０          案内壁部
１１          前凹部
１２          中凹部
１３          後凹部
１４          突出前壁
１５          突出右壁
１６          後壁
１６ａ        切欠け
１７          仕切壁
１８          上壁
１９          段底部
２０          上板
２１          下板
２２          左外壁
２３          右外壁
２４          前外壁
２５          切込み
２６          操作板部
２７          ヒンジ
２８          錠剤押え突部
２９          係合突部
３０          案内リブ
３１          錠剤押えリブ
【図１】
2008247436.tif 000003
【図２】
2008247436.tif 000004
【図３】
2008247436.tif 000005
【図４】
2008247436.tif 000006
【図５】
2008247436.tif 000007